(57)【要約】鋼線ロープの損傷を検出する非破壊検査装置であって、ブシュ（３）を含み、このブシュ（３）は、制限溝によって下シェル（１）および上シェル（４）を制限する。下シェル（１）は、開閉構造を介して上シェル（４）に接続される。エア・バッグ（９）は、ブシュ（３）に巻き付けられる。ＰＣＢ（１０）は、上シェル（４）または下シェル（１）に固定される。ＰＣＢ（１０）は、電気コネクタ（５）を介してガイド・ホイール（１６）に接続される。磁気抵抗センサ・アレイは、エア・バッグ（９）の内側に配置され、ブシュ（３）の周方向に均一に配置される。鋼線ロープ（１５）は、磁気抵抗センサ・アレイを通過する。そして、鋼線ロープ（１５）が移動するとき、それは、ガイド・ホイール（１６）を駆動して回転し、命令の取得を引き起こす。ガイド・ホイール（１６）は、鋼線ロープの移動の相対位置を計算するために使用されるポジション・コーダを用いて設定される。ＰＣＢ（１０）は、周辺インタフェースを介してシングル・チップ・マイクロコンピュータに接続される。そして、シングル・チップ・マイクロコンピュータを使用して、Ｎ個の隣接した磁気抵抗センサの差動信号を計算し、鋼線ロープが損傷を受けているかを決定する。断線、狭くなった直径、鋼線ロープの深い損傷を検出するためのこの非破壊検査装置の能力が改善される。【選択図】図４
2022500663.tif 000002
【特許請求の範囲】
【請求項１】
下シェル（１）、ブシュ（３）、上シェル（４）、電気コネクタ（５）、エア・バッグ（９）、ＰＣＢ（１０）、およびガイド・ホイール（１６）を備える鋼線ロープの損傷を検出する非破壊検査装置であって、
該ブシュ（３）は、制限溝によって該下シェル（１）および該上シェル（４）を制限し、該下シェル（１）は、開閉構造を介して該上シェル（４）に接続され、該エア・バッグ（９）は、該ブシュ（３）に巻き付けられ、該ＰＣＢ（１０）は、該上シェル（４）または該下シェル（１）に固定され、該ＰＣＢ（１０）は、該気コネクタ（５）を通して該ガイド・ホイール（１６）に接続され、
Ｎ個の磁気抵抗センサで構成された磁気抵抗センサ・アレイは、該エア・バッグ（９）の内側に配置され、該ブシュ（３）の周方向に均一に配置され、鋼線ロープ（１５）は、該磁気抵抗センサ・アレイを通過し、該鋼線ロープ（１５）が移動するとき、それは、該ガイド・ホイール（１６）を駆動して回転し、命令の取得を引き起こし、
該ガイド・ホイール（１６）は、該鋼線ロープの移動の相対位置を計算するために使用されるポジション・コーダを用いて設定され、
該ＰＣＢ（１０）は、周辺インタフェースを介してシングル・チップ・マイクロコンピュータに接続され、該シングル・チップ・マイクロコンピュータを使用して、Ｎ個の隣接した磁気抵抗センサの差動信号を計算し、該鋼線ロープ（１５）が損傷を受けているかを決定する、非破壊検査装置。
【請求項２】
前記開閉構造は、バックル（２）およびヒンジ（７）を含み、
前記下シェル（１）および前記上シェル（４）の第１の接続部分は、該バックル（２）を介して接続され、前記下シェル（１）および前記上シェル（４）の第２の接続部分は、該ヒンジ（７）を介して接続され、
該バックル（２）および該ヒンジ（７）は、それぞれ、皿ねじによって前記下シェル（１）および前記上シェル（４）に固定される、請求項１に記載の鋼線ロープの損傷を検出する非破壊検査装置。
【請求項３】
前記ＰＣＢ（１０）は、金属化貫通穴を通ったなべ小ねじ（１１）によって前記上シェル（４）または前記下シェル（１）に固定され、
前記ＰＣＢ（１０）は、ツイストペア・ケーブルを介して前記電気コネクタ（５）に接続され、前記ガイド・ホイール（１６）は、ツイストペア・シールド・ケーブルを介して前記電気コネクタ（５）に接続され、該ツイストペア・シールド・ケーブルの遮蔽層は、前記電気コネクタ（５）のピンを通って前記上シェル（４）に接続される、請求項１に記載の鋼線ロープの損傷を検出する非破壊検査装置。
【請求項４】
リード（６）の少なくとも２つのセットをさらに含み、リード（６）の各セットは、前記周方向に前記ブシュ（３）の内面に沿って均一に分布し、該リード（６）の一端は、前記ブシュ（３）の該内面に溶接され、該リード（６）の他端は、前記ブシュ（３）の前記内面で開いた溝に埋め込まれる、請求項１に記載の鋼線ロープの損傷を検出する非破壊検査装置。
【請求項５】
リードの各セットは、少なくとも２つのリードを含み、前記ブシュ（３）の前記内面の軸方向にリードの隣接したセット間の距離は同じである、請求項４に記載の鋼線ロープの損傷を検出する非破壊検査装置。
【請求項６】
前記ブシュ（３）は、位置決めコラムを用いて設定され、前記エア・バッグ（９）は、該位置決めコラムに対応する位置決め穴を用いて設定され、該位置決めコラムは、該位置決め穴の中に挿入される、請求項１に記載の鋼線ロープの損傷を検出する非破壊検査装置。
【請求項７】
前記ＰＣＢ（１０）は、マルチプレクサと一体化され、該マルチプレクサを介しておよび予め設定された順序で前記磁気抵抗センサ・アレイによって取得された情報を出力するために使用される、請求項１に記載の鋼線ロープの損傷を検出する非破壊検査装置。
【発明の詳細な説明】
【技術分野】
【０００１】
本発明は、電磁非破壊検査の分野に関し、詳細には、鋼線ロープの損傷を検出する非破壊検査装置に関する。
【背景技術】
【０００２】
鋼線ロープの非破壊検査は、公共輸送の設備（ケーブルウェイ、貨物ロープウェイ、チェアリフト、スキーリフトなど）、または装備（貨物用リフト、クレーン、フォークリフトなど）の鋼線ロープの状況を確認するために使用される措置である。定期的な非破壊検査は、疲労または異常なスクラッチ、腐食、製造または組立の欠陥による異常な張力分布などによる鋼線ロープの破損といった多くの要因によって引き起こされ得る鋼線ロープの劣化を防ぐために実施される。
【０００３】
高い動荷重および過負荷の支持力により、鋼線ロープは、様々な巻上機および輸送機器、機械式伝達装置、船舶牽引機構、橋梁架設機械、および牽引、ホイスティング、および張力調整、ならびに固定を必要とする他の機会に主に使用される。電磁非破壊検査は、現在、最もよく使用されている、鋼線ロープの損傷を検出する方法である。鋼線は、励起ユニット（永久磁石励起部または渦電流励起）によって磁気的に励起され、磁気センサを使用して鋼線ロープの損傷部分における漏れ磁場を検出し、それによって鋼線ロープの損傷状態を評価する。この検出方法の欠点は、鋼線ロープの内部損傷検出を達成するために、励起場を増大させて漏れ磁場の強度を増大させる必要があり、これは、磁気飽和を防ぐために磁気センサのダイナミック・レンジを増大させる必要があるが、磁気センサの磁場感度を低下させ、それによって検出の効果を減少させる。他の方法は、磁気センサの感度を高め、励起のために低い励起場を使用するが、採用された磁気センサは、空間分解能が十分でなく、検出結果の再現性が乏しい。同時に、２つの検出方法は共に、損傷を決定するために検出データを参照信号と比較し、標準試験片が検出プロセスに必要とされ、または試験を受ける鋼線ロープの比較的無傷の部分が参照として選択される。
【発明の概要】
【発明が解決しようとする課題】
【０００４】
上記技術的課題を解決するために、鋼線ロープの損傷を検出する非破壊検査装置が、本発明において提案される。本発明は、リアルタイム検出のために使用中に形成される鋼線ロープの磁気メモリを利用し、励起構造および参照を必要とせず、操作が便利である。
【課題を解決するための手段】
【０００５】
本発明は、以下の技術的解決手段、すなわち、
下シェル、ブシュ、上シェル、電気コネクタ、エア・バッグ、ＰＣＢ、およびガイド・ホイールを含む鋼線ロープの損傷を検出する非破壊検査装置であって、
ブシュは、制限溝によって下シェルおよび上シェルを制限し、下シェルは、開閉構造を介して上シェルに接続され、エア・バッグは、ブシュに巻き付けられ、ＰＣＢは、上シェルまたは下シェルに固定され、ＰＣＢは、電気コネクタを通してガイド・ホイールに接続され、
Ｎ個の磁気抵抗センサで構成された磁気抵抗センサ・アレイは、エア・バッグの内側に配置され、ブシュの周方向に均一に配置され、鋼線ロープは、磁気抵抗センサ・アレイを通過し、鋼線ロープが移動するとき、それは、ガイド・ホイールを駆動して回転し、命令の取得を引き起こし、
ガイド・ホイールは、鋼線ロープの移動の相対位置を計算するために使用されるポジション・コーダを用いて設定され、
ＰＣＢは、周辺インタフェースを介してシングル・チップ・マイクロコンピュータに接続され、シングル・チップ・マイクロコンピュータを使用して、Ｎ個の隣接した磁気抵抗センサの差動信号を計算し、鋼線ロープが損傷を受けているかを決定する、非破壊検査装置に従って実施される。
【０００６】
さらに、開閉構造は、バックルおよびヒンジを含み、
下シェルおよび上シェルの第１の接続部分は、バックルを介して接続され、下シェルおよび上シェルの第２の接続部分は、ヒンジを介して接続され、
バックルおよびヒンジは、それぞれ、皿ねじによって下シェルおよび上シェルに固定される。
【０００７】
さらに、ＰＣＢは、金属化貫通穴を通ったなべ小ねじによって上シェルまたは下シェルに固定され、
ＰＣＢは、ツイストペア・ケーブルを介して電気コネクタに接続され、ガイド・ホイールは、ツイストペア・シールド・ケーブルを介して電気コネクタに接続され、ツイストペア・シールド・ケーブルの遮蔽層は、電気コネクタのピンを通って上シェルに接続される。
【０００８】
好ましくは、リードの少なくとも２つのセットがさらに含まれ、リードの各セットは、周方向にブシュの内面に沿って均一に分布し、リードの一端は、ブシュの内面に溶接され、リードの他端は、ブシュの内面で開いた溝に埋め込まれる。
【０００９】
好ましくは、リードの各セットは、少なくとも２つのリードを含み、ブシュの内面の軸方向にリードの隣接したセット間の距離は同じである。
【００１０】
好ましくは、ブシュは、複数の位置決めコラムを用いて設定され、エア・バッグは、位置決めコラムに対応する位置決め穴を用いて設定され、位置決めコラムは、位置決め穴の中に挿入される。
【００１１】
好ましくは、ＰＣＢは、マルチプレクサと一体化され、マルチプレクサを介しておよび予め設定された順序で磁気抵抗センサ・アレイによって取得された情報を出力するために使用される。
【発明の効果】
【００１２】
先行技術と比べて、本発明は、以下の有益な技術的効果を有する。
【００１３】
１．本発明は、励起構造を簡単にするために鋼線ロープの磁気メモリ特性を利用する。本発明は、検出デバイスの小型化および可搬性を改善することができ、普及させるのがより容易であり、それは、鋼線ロープの磁化に対する地球の自然の磁場のメモリ効果を利用し、磁気抵抗センサを磁気感知ユニットとして採用して、励起させることなく鋼線ロープの周りの磁場勾配情報を測定する。それは、構造がシンプルであり、操作が便利であり、欠陥の解決力が高く、データ解釈が容易であり、センサは、鋼線ロープの大きさに従って配置することができる。
【００１４】
２．従来の検出スキームでは、磁気センサ検出データは、鋼線ロープの周りの周囲の磁場分布を説明し、小さい損傷信号は、大きいバックグラウンド信号に重ね合わされ、参照サンプル（参照データ）は、データ解釈前の比較のために必要とされる。本発明の検出方法は、参照データまたはさらなる比較センサなしで鋼線ロープの損傷によって引き起こされる空間磁場の勾配の変化を直接検出し、鋼線ロープの損傷の説明を実現させ、したがって検査結果はより直接であり、データはより容易に解釈される。
【００１５】
３．本発明は、磁気抵抗センサ・アレイのプローブを形成するために磁気抵抗センサを使用する。検出感度を確実にするが、損傷検出の空間分解能は、マイクロメートルのオーダーにほぼ到達し、これは、断線、狭くなった直径、および深い損傷を検出するための能力を改善する。
【００１６】
４．本発明の磁気抵抗センサ・アレイは、特注可能であり、異なる大きさおよび他の強磁性材料の鋼線ロープの損傷を検出する必要を満たす。
【００１７】
本発明の実施形態または先行技術の解決手段をより明確に説明するために、以下、この実施形態または先行技術の説明に用いられる必要のある添付図面を簡単に紹介する。以下の説明における添付図面は、本発明のいくつかの実施形態に過ぎないことが明らかである。当業者は、創作的な努力をせずともこれらの添付図面に従って他の添付図面をさらに得ることができる。
【図面の簡単な説明】
【００１８】
【図１ａ】本発明による半ブリッジ構造を備えた磁気抵抗センサの概略図である。
【図１ｂ】本発明によるフル・ブリッジ構造を備えた磁気抵抗センサの概略図である。
【図１ｃ】本発明による単一の磁気抵抗構造を備えた磁気抵抗センサの概略図である。
【図２】本発明による鋼線ロープの損傷を検出する磁気抵抗センサ・アレイの概略構造図である。
【図３】本発明による鋼線ロープの損傷を検出する非破壊検査の原理の概略図である。
【図４】本発明による鋼線ロープの損傷を検出する非破壊検査装置の側面図である。
【図５】本発明による鋼線ロープの損傷を検出する非破壊検査装置の断面図である。
【図６】本発明による鋼線ロープの損傷を検出する非破壊検査装置の正面図および背面図である。
【図７】本発明による鋼線ロープの損傷を検出する非破壊検査装置の信号処理ユニットのブロック図である。
【図８】本発明による鋼線ロープの損傷を検出する非破壊検査装置の信号処理の波形図である。
【発明を実施するための形態】
【００１９】
本発明の実施形態の目的、技術的解決手段、および利点をより明確にするために、本発明の実施形態における技術的解決手段は、本発明の実施形態における添付図面を参照して、以下明確かつ完全に説明される。説明された実施形態は、本発明の実施形態の全部ではなく一部であることが明らかである。
【００２０】
鋼線ロープの損傷の磁気勾配場を検出する本発明において共通に使用される３つの基本的な検出ユニットは、半ブリッジ構造を備えた磁気抵抗センサ、フル・ブリッジ構造を備えた磁気抵抗センサ、および単一の磁気抵抗構造を備えた磁気抵抗センサである。図１ａは、本発明による半ブリッジ構造を備えた磁気抵抗センサの概略図であり、図１ｂは、本発明によるフル・ブリッジ構造を備えた磁気抵抗センサの概略図であり、図１ｃは、本発明による単一の磁気抵抗構造を備えた磁気抵抗センサの概略図である。図１ａから図１ｃに示されるように、３つの構造において、単一の磁気抵抗器抵抗値はＲとし、磁気抵抗変化値はΔＲとする。
【００２１】
図１ａに示されるように、半ブリッジ構造を備えた磁気抵抗センサは、第１の磁気抵抗器Ｒａ、および第２の磁気抵抗器Ｒｂで構成されており、第１の磁気抵抗器Ｒａの抵抗値はＲａ１であり、第２の磁気抵抗器Ｒｂの抵抗値はＲｂ１である。Ｒａ１＝Ｒｂ１＝Ｒと仮定すると、半ブリッジ構造を備えた磁気抵抗センサの出力信号Ｖ１の計算式は、
【数１】
2022500663.tif 000003
であり、
ただし、Ｖｃｃは、磁気抵抗センサの入力信号である。
【００２２】
図１ｂに示されるように、フル・ブリッジ構造を備えた磁気抵抗センサは、第３の磁気抵抗器Ｒｍ、第４の磁気抵抗器Ｒｎ、第５の磁気抵抗器Ｒｐ、および第６の磁気抵抗器Ｒｑで構成される。第３の磁気抵抗器Ｒｍの抵抗値はＲｍ１であり、第４の磁気抵抗器Ｒｎの抵抗値はＲｎ１であり、第５の磁気抵抗器Ｒｐの抵抗値はＲｐ１であり、第６の磁気抵抗器Ｒｑの抵抗値はＲｑ１である。Ｒｍ１＝Ｒｎ１＝Ｒｐ１＝Ｒｑ１＝Ｒの場合、フル・ブリッジ構造を備えた磁気抵抗センサの出力信号Ｖ２の計算式は、
【数２】
2022500663.tif 000004
であり、
ただし、Ｖ＋は、第３の磁気抵抗器Ｒｍと第４の磁気抵抗器Ｒｎの間の接続端の信号値であり、Ｖ−は、第５の磁気抵抗器Ｒｐと第６の磁気抵抗器Ｒｑの間の接続端の信号値であり、Ｖｃｃは、磁気抵抗センサの入力信号である。さらに、Ｖ＋およびＶ−の計算式は、それぞれ、
【数３】
2022500663.tif 000005
である。
【００２３】
図１ｃに示されるように、単一の磁気抵抗構造を備えた磁気抵抗センサは、第７の磁気抵抗器Ｒｄで構成されており、第７の磁気抵抗器Ｒｄの抵抗値は、Ｒｄ１である。Ｒｄ１＝Ｒの場合、単一の磁気抵抗構造を備えた磁気抵抗センサの出力信号Ｖ３の計算式は、
Ｖ３＝（Ｒ＋ΔＲ）ＩＣＣ
であり、
ただし、ＩＣＣは、単一の磁気抵抗構造を備えた磁気抵抗センサの入力電流である。
【００２４】
図２は、本発明による鋼線ロープの損傷を検出する磁気抵抗センサ・アレイの概略構造図である。図２に示されるように、磁気抵抗センサ・アレイは、Ｎ個の磁気抵抗センサで構成され、２つごとの隣接した磁気抵抗センサが、磁場勾配センサを形成する。
【００２５】
磁場が均一であるとき、すなわち、鋼線ロープが損傷を受けていないとき、様々な磁気抵抗センサの出力は一致する。半ブリッジ構造を備えた磁気抵抗センサ、フル・ブリッジ構造を備えた磁気抵抗センサ、および単一の磁気抵抗構造を備えた磁気抵抗センサについては、
様々な磁気抵抗センサの出力信号間の差Ｖｎが０であり、計算式は、
Ｖｎ＝Ｖｏｕｔｎ−Ｖｏｕｔｎ＋１＝０
であり、
ただし、Ｖｏｕｔｎは、第ｎの磁気抵抗センサの出力信号であり、Ｖｏｕｔｎ＋１は、第（ｎ＋１）の磁気抵抗センサの出力信号である。
【００２６】
磁場が均一でないとき、すなわち、鋼線ロープが局所的に損傷を受けているとき、鋼線ロープの局所損傷は、損傷位置に磁場の空間分布の勾配を引き起こし、様々な磁気抵抗センサの出力信号は、損傷位置からの距離に関連している。
【００２７】
基本的ユニットとして半ブリッジ構造を備えた磁気抵抗センサで構成された磁気抵抗センサ・アレイについては、様々な磁気抵抗センサの出力信号間の差Ｖｎ１についての計算式は、
【数４】
2022500663.tif 000006
であり、
ただし、ΔＲｎは、第ｎの磁気抵抗センサの磁気抵抗の変化値であり、ΔＲｎ＋１は、第（ｎ＋１）の磁気抵抗センサの磁気抵抗の変化値である。
【００２８】
基本的ユニットとしてフル・ブリッジ構造を備えた磁気抵抗センサで構成された磁気抵抗センサ・アレイについては、様々な磁気抵抗センサの出力信号間の差Ｖｎ２についての計算式は、
【数５】
2022500663.tif 000007
であり、
ただし、ΔＲｎは、第ｎの磁気抵抗センサの磁気抵抗の変化値であり、ΔＲｎ＋１は、第（ｎ＋１）の磁気抵抗センサの磁気抵抗の変化値である。
【００２９】
基本的ユニットとして単一の磁気抵抗構造を備えた磁気抵抗センサで構成された磁気抵抗センサ・アレイについては、様々な磁気抵抗センサの出力電圧間の差Ｖｎ３についての計算式は、
Ｖｎ３＝（ΔＲｎ−ΔＲｎ＋１）ＩＣＣ
であり、
ただし、ΔＲｎは、第ｎの磁気抵抗センサの磁気抵抗の変化値であり、ΔＲｎ＋１は、第（ｎ＋１）の磁気抵抗センサの磁気抵抗の変化値である。
【００３０】
図３は、本発明による鋼線ロープの損傷を検出する非破壊検査の原理の概略図である。図３に示されるように、Ｎ個の磁気抵抗センサで構成された磁気抵抗センサ・アレイは、周方向に鋼線ロープを囲む。磁気抵抗センサ・アレイは、複数の磁気抵抗センサ１７を配置することによって形成される。鋼線ロープの損傷の検出に使用されるとき、磁気抵抗センサ・アレイは、鋼線ロープの軸方向に移動し、差動信号は、Ｎ個の差動信号の合計を得るように２つごとの隣接した磁気抵抗センサの出力値を用いて計算され、Ｎ個の差動信号は、鋼線ロープの周囲の磁場勾配の分布を反映する。
Ｖ１＝Ｖｏｕｔ１−Ｖｏｕｔ２
Ｖ２＝Ｖｏｕｔ２−Ｖｏｕｔ３
……
Ｖｎ＝Ｖｏｕｔｎ−Ｖｏｕｔ１
ただし、Ｖｏｕｔ１は第１の磁気抵抗センサの出力値であり、Ｖｏｕｔ２は第２の磁気抵抗センサの出力値であり、Ｖｏｕｔ３は第３の磁気抵抗センサの出力値であり、Ｖｏｕｔｎは第ｎの磁気抵抗センサの出力値である。Ｖ１は、第１の磁気抵抗センサおよび第２の磁気抵抗センサの出力値の差動信号である。Ｖ２は、第２の磁気抵抗センサおよび第３の磁気抵抗センサの出力値の差動信号である。Ｖｎは、第１の磁気抵抗センサおよび第ｎの磁気抵抗センサの出力値の差動信号である。
【００３１】
鋼線ロープが局所的に損傷を受けるとき、鋼線ロープの周方向の空間磁場分布は、損傷位置で突然変化し、すなわち、損傷位置における空間磁場は、勾配を有する。磁気抵抗センサ・アレイの相対位置および勾配場の大きさを用いることにより、損傷状況の損傷および評価の迅速な位置決定を実現することができる。
【００３２】
図４は、本発明による鋼線ロープの損傷を検出する非破壊検査装置の側面図であり、図５は、本発明による鋼線ロープの損傷を検出する非破壊検査装置の断面図であり、図６は、本発明による鋼線ロープの損傷を検出する非破壊検査装置の正面図および背面図である。図４から図６を参照して、本発明による鋼線ロープの損傷を検出する非破壊検査装置は、下シェル１、ブシュ３、上シェル４、電気コネクタ５、エア・バッグ９、ＰＣＢ１０、およびガイド・ホイール１６を含み、
ブシュ３は、制限溝によって下シェル１および上シェル４を制限し、下シェル１は、開閉構造を介して上シェル４に接続される。エア・バッグ９は、ブシュ３に巻き付けられ、ＰＣＢ１０は、上シェル４または下シェル１に固定され、ＰＣＢ１０は、電気コネクタ５を通してガイド・ホイール１６に接続される。
【００３３】
Ｎ個の磁気抵抗センサで構成された磁気抵抗センサ・アレイは、エア・バッグ９の内側に配置され、ブシュ３の周方向に均一に配置され、鋼線ロープ１５は、磁気抵抗センサ・アレイを通過し、鋼線ロープ１５が移動するとき、それは、ガイド・ホイール１６を駆動して回転し、命令の取得を引き起こす。ガイド・ホイール１６は、鋼線ロープの移動の相対位置を計算するために使用されるポジション・コーダを用いて設定される。ＰＣＢ１０は、周辺インタフェースを介してシングル・チップ・マイクロコンピュータに接続され、シングル・チップ・マイクロコンピュータを使用して、Ｎ個の隣接した磁気抵抗センサの差動信号を計算し、鋼線ロープ１５が損傷を受けているかを決定する。
【００３４】
この実施形態では、ブシュ３は円筒形であり、下シェル１および上シェル４はそれぞれ複数の皿ねじ８によってブシュ３に固定される。ＰＣＢ１０は、周辺インタフェースを介してシングル・チップ・マイクロコンピュータに接続される。シングル・チップ・マイクロコンピュータは、Ｎ個の差動信号を得るために２つごとの隣接した磁気抵抗センサによって取得されたデータの差動信号を計算する。少なくとも２つの隣接した差動信号が狭いパルスである場合、鋼線ロープ１５は損傷を受けていると決定される。
【００３５】
さらに、開閉構造は、バックル２およびヒンジ７を含む。下シェル１および上シェル４の第１の接続部は、バックル２を介して接続され、下シェル１および上シェル４の第２の接続部は、ヒンジ７を介して接続される。バックル２およびヒンジ７は、それぞれ、皿ねじによって下シェル１および上シェル４に固定される。
【００３６】
上シェル４および下シェル１は開閉構造を介して接続され、上シェル４および下シェル１は開かれ、鋼線ロープ１５がその中に設置され、次いで上シェル４および下シェル１はバックル２によって閉じられ、締められる。
【００３７】
さらに、ＰＣＢ１０は、金属化貫通穴を通ったなべ小ねじ１１によって上シェル４または下シェル１に固定される。ＰＣＢ１０はツイストペア・ケーブルを介して電気コネクタ５に接続され、ガイド・ホイール１６はツイストペア・シールド・ケーブルを介して電気コネクタ５に接続され、ツイストペア・シールド・ケーブルの遮蔽層は電気コネクタ５のピンを通って上シェル４に接続される。
【００３８】
本発明は、リード６の少なくとも２つのセットをさらに含み、リード６の各セットは周方向にブシュ３の内面に沿って均一に分布し、リード６の一端は、ブシュ３の内面に溶接され、リードの他端は、ブシュ３の内面で開いた溝に埋め込まれる。さらに、溝が開いている内面、およびリード６の一端が溶接される内面は、同じ内面である。ここで、リードの各セットは、少なくとも２つのリード６を含み、ブシュ３の内面の軸方向のリード６の隣接したセット間の距離は同じである。本発明の特定の実施形態では、溝の位置、長さ、および深さは、実際の必要に従って選択することができる。ブシュ３の内面で開いた溝の中にリード６の他端を挿入することにより、リード６はある程度の変位を有することができ、したがって、異なる半径を有する鋼線ロープは、非破壊検査装置によって検出することができ、非破壊検査装置は、より幅広い範囲で使用され得る。
【００３９】
本発明の特定の実施形態では、ブシュ３は、複数の位置決めコラムを用いて設定され、エア・バッグ９は、位置決めコラムに対応する位置決め穴を用いて設定され、位置決めコラムは、位置決め穴の中に挿入される。
【００４０】
図７は、本発明による鋼線ロープの損傷を検出する非破壊検査装置の信号処理ユニットのブロック図である。図７に示されるように、ＰＣＢ１０は、マルチプレクサと一体化され、マルチプレクサを介しておよび予め設定された順序で磁気抵抗センサ・アレイによって取得された情報を出力するために使用される。本発明のマルチプレクサは、ＡＤＧ７２６チップを使用する。ＡＤＧ７２６チップは、−２．５Ｖおよび＋２．５Ｖのデュアル電源によって電力供給され、３２個のシングル・エンド式のチャンネル、および１６個の差動チャンネルとして使用することができ、通ることが許される信号は、−２．５Ｖから＋２．５Ｖの電圧範囲を有する。３２チャンネルの電圧減衰ネットワークは、１％未満の誤差範囲を有する対応する高精度抵抗器を使用して、電圧を分割する。マルチプレクサは、取得された信号を演算増幅器で構成された信号調整回路へ伝達する。本発明の演算増幅器は、ＡＤ６２０チップを使用する。信号調整回路が信号調整を完了するとき、信号は、データ取得カードによって取得され、次いでシングル・チップ・マイクロコンピュータによって処理および記憶される。本発明のデータ取得カードは、ＮＩ  ＰＩＸｅ−６３６８を使用する。
【００４１】
本発明の動作原理を、以下の通りに簡単に説明する。
【００４２】
鋼線ロープの損傷を検出する非破壊検査装置は、開かれ、バックル２によって鋼線ロープ１５に固定され、ガイド・ホイール１６が、鋼線ロープ１５に取り付けられる。検出の要求に従って、サンプリング・レート、検出速度、および検出開始位置が設定される。鋼線ロープに対しての非破壊検査装置の変位が検出され、鋼線ロープ検出デバイスは、安定に維持される。磁気抵抗センサ・アレイのデータが取得され、リアルタイムに記憶され、ガイド・ホイール１６の位置データは、同期的に取得および記憶される。シングル・チップ・マイクロコンピュータは、取得されたデータをリアルタイムで解析する。図８は、本発明による鋼線ロープの損傷を検出する非破壊検査装置の信号処理の波形図である。図８に示されるように、鋼線ロープが損傷を受けるとき、損傷を通過する磁気センサの出力は狭いパルスであり、狭いパルスを同期的に出力する少なくとも２つのセンサがあるとき、それは、損傷信号として決定され、さもなければ、それは、非破壊検査装置に対しての鋼線ロープのジッタによって引き起こされる誤った損傷信号として決定される。
【００４３】
シングル・チップ・マイクロコンピュータは、サンプリング・レート、ガイド・ホイールの回転速度、および取得時間の長さを使用して、非破壊検査装置の位置データをリアルタイムで解析し、それを損傷データに関連付け、検出センサの時間領域データを鋼線ロープの位置に関連しているデータに変換し、次いで、検出データに従って鋼線ロープの損傷の位置を特定する。
【００４４】
鋼線ロープの損傷の半径方向位置は、磁気抵抗センサ・アレイの位置情報を用いて位置が特定され、鋼線ロープの損傷モードが以下の通りに損傷検出データの振幅およびパルス幅に従って決定される：狭帯域パルスが局所破損（ＬＦ：ＬｏｃａＬ  Ｆａｕｌｔ）として決定され、比較的大きいパルス幅を有するパルスが金属断面積の損失（ＬＭＡ：Ｌｏｓｓ  ｏｆ  Ｍｅｔａｌｌｉｃ  ｃｒｏｓｓ−ｓｅｃｔｉｏｎａｌ  Ａｒｅａ）として決定される。ＬＦは、錆つき、摩耗、断線などを含む。継続使用の場合、鋼線ロープは、鋼線ロープのいろいろな使用環境を反映する様々な損傷の現象を伴う異なる劣化モードを有する。実際には、鋼線ロープを使用するプロセスにおいて、鋼線ロープの損傷の発生および発達は、相互に影響を受ける。例えば、鋼線ロープの錆つきは摩耗損傷を悪化させ、摩耗は断線の発生を促進する。損傷発達の速度および程度は、様々な使用条件において異なるということである。
【００４５】
本発明は、損傷検出のために鋼線ロープの磁気メモリ特性を使用し、励起機構を必要とせず、検出プローブの構造を簡単にし、操作がより便利である。鋼線ロープの損傷の磁場勾配を検出する磁気抵抗センサが設計され、センサはペタワットのオーダーで高い磁場感度を有し、したがって、ミクロンオーダー近くの磁場空間分解能は、断線、より小さい線径、および鋼線ロープの深い損傷を検出する能力を改善する。磁気抵抗センサは、磁気抵抗センサ・アレイのプローブを形成するように並列に接続され、磁気抵抗センサ・アレイのプローブを形成する磁気抵抗センサの個数は、鋼線ロープの大きさに従って特注されてよい。隣接した磁気抵抗センサの差動信号は、鋼線ロープを囲む周囲の磁場勾配情報を説明するために使用され、検出結果は、いずれも参照せずに鋼線ロープの損傷状況を直接説明する。
【００４６】
本発明の実施形態に基づいて、創作的努力なしで当業者によって得られる全ての他の実施形態は、本発明の保護範囲内に含まれる。本発明を好ましい実施形態の観点から図示および説明してきたが、当業者は、本発明の特許請求の範囲によって定められる範囲をそれが超えない限り、様々な変更および修正が本発明になされてよいことを理解するはずである。
【符号の説明】
【００４７】
参照番号：１−下シェル、２−バックル、３−ブシュ、４−上シェル、５−電気コネクタ、６−リード、７−ヒンジ、８−皿ねじ、９−エア・バッグ、１０−ＰＣＢ、１１−なべ小ねじ、１２−位置決めコラム、１３−位置決め穴、１４−制限溝、１５−試験を受ける鋼線ロープ、１６−ガイド・ホイール、１７−磁気抵抗センサ。
【図１ａ】
2022500663.tif 000008
【図１ｂ】
2022500663.tif 000009
【図１ｃ】
2022500663.tif 000010
【図２】
2022500663.tif 000011
【図３】
2022500663.tif 000012
【図４】
2022500663.tif 000013
【図５】
2022500663.tif 000014
【図６】
2022500663.tif 000015
【図７】
2022500663.tif 000016
【図８】
2022500663.tif 000017
【国際調査報告】
2022500663.tif 000018
2022500663.tif 000019
2022500663.tif 000020
2022500663.tif 000021
2022500663.tif 000022
2022500663.tif 000023